(57)【要約】【課題】複数の収容室を区画する弱シール部の適切なシール強度を確保しつつ、収容室内面の合着を防止することができる医療用複室容器を提供する。【解決手段】重なり合う熱可塑性樹脂シート２・２の周縁に設けられる強シール部３と、剥離可能な弱シール部４と、弱シール部４で区画される収容室５、６と、強シール部３に設けられる薬液流通部とを備える医療用複室容器であって、収容室５、６の対向する内面の一方に弱シール部４の長手方向へ延びる凹凸条９を略全面に亘って形成すると共に、弱シール部４は凹凸条９の無い平面状の対向面をヒートシールして形成する。【選択図】図１
2008104534.tif 000002
【特許請求の範囲】
【請求項１】
重なり合う熱可塑性樹脂シートの周縁に設けられる強シール部と、剥離可能な弱シール部と、弱シール部で区画される複数の収容室と、強シール部に設けられる薬液流通部とを備える医療用複室容器であって、
各収容室の対向する内面の少なくとも一方に前記弱シール部の長手方向へ延びる凹凸条を略全面に亘って形成し、
前記弱シール部を前記凹凸条の無い対向面をヒートシールして形成していることを特徴とする医療用複室容器。
【請求項２】
重なり合う熱可塑性樹脂シートの周縁に設けられる強シール部と、剥離可能な弱シール部と、弱シール部で区画される複数の収容室と、強シール部に設けられる薬液流通部とを備える医療用複室容器に用いられるシート構造体であって、
重なり合う熱可塑性樹脂シートの周縁で薬液流通部の設置可能領域以外の領域に設けられる強シール部と、
剥離可能な弱シール部と、
弱シール部で区画される複数の収容室とを有し、
各収容室の対向する内面の少なくとも一方に前記弱シール部の長手方向へ延びる凹凸条を略全面に亘って形成し、
前記弱シール部を前記凹凸条無い対向面をヒートシールして形成していることを特徴とするシート構造体。
【発明の詳細な説明】
【技術分野】
【０００１】
本発明は、弱シール部で区画された別々の収容室に収容される複数の薬液を使用時に弱シール部を剥離して混合可能な医療用複室容器、及び医療用複室容器に用いられるシート構造体に関する。
【背景技術】
【０００２】
医薬品の分野で、複数の薬液が弱シール部で区画された別々の収容室に収容され、使用時に収容室間を区画する弱シール部を剥離して連通し、前記複数の薬液を混合する医療用の複室容器が知られている。かかる複室容器１００は、例えば図５に示すように、薬液を注入すると共に投与の際に薬液を排出する薬液出入部１０１と、薬液を注入する薬液注入部１０２とを筒状の熱可塑性樹脂シートの前端開口と後端開口に配置し、前端開口と後端開口をヒートシールで強融着して強シール部１０３、１０４を設けると共に、強シール部１０３、１０４で溶着して薬液出入部１０１と薬液注入部１０２とを取り付け、その略中央にヒートシールで容易に剥離する弱シール部１０５を形成して、弱シール部１０５で区画される複数の収容室１０６、１０７を設ける構成とされ、各収容室１０６、１０７に使用時に混合する別々の薬液が収容される（特許文献１参照）。また、別の構成として、重なった状態の熱可塑性樹脂シートの周縁に強シール部を設ける複室容器もある。
【０００３】
【特許文献１】特開２００６−２２３６１５号公報
【発明の開示】
【発明が解決しようとする課題】
【０００４】
ところで、医療用複室容器は、高温高圧の水蒸気で滅菌するオートクレーブ処理を施されることが多々あるが、オートクレーブ処理の際に、熱によって収容室内面が相互に合着することがある。斯様な合着が生ずると、収容室内への薬液のスムーズな充填が困難となり、又、合着を剥離するための労力が必要となる。そのため、収容室内面の合着を防止できる医療用複室容器が望まれている。また、医療用複室容器では、複数の収容室を区画する弱シール部について適切なシール強度を確保することが必要である。
【０００５】
本発明は上記課題に鑑み提案するものであって、複数の収容室を区画する弱シール部の適切なシール強度を確保しつつ、収容室内面の合着を防止することができる医療用複室容器、及びその医療用複室容器に用いられるシート構造体を提供することを目的とする。
【課題を解決するための手段】
【０００６】
本発明の医療用複室容器は、重なり合う熱可塑性樹脂シートの周縁に設けられる強シール部と、剥離可能な弱シール部と、弱シール部で区画される複数の収容室と、強シール部に設けられる薬液流通部とを備える医療用複室容器であって、各収容室の対向する内面の少なくとも一方に前記弱シール部の長手方向へ延びる凹凸条を略全面に亘って形成し、前記弱シール部を前記凹凸条の無い対向面をヒートシールして形成していることを特徴とする。
【０００７】
本発明のシート構造体は、重なり合う熱可塑性樹脂シートの周縁に設けられる強シール部と、剥離可能な弱シール部と、弱シール部で区画される複数の収容室と、強シール部に設けられる薬液流通部とを備える医療用複室容器に用いられるシート構造体であって、重なり合う熱可塑性樹脂シートの周縁で薬液流通部の設置可能領域以外の領域に設けられる強シール部と、剥離可能な弱シール部と、弱シール部で区画される複数の収容室とを有し、各収容室の対向する内面の少なくとも一方に前記弱シール部の長手方向へ延びる凹凸条を略全面に亘って形成し、前記弱シール部を前記凹凸条の無い対向面をヒートシールして形成していることを特徴とする。
【発明の効果】
【０００８】
本発明は、各収容室の対向する内面の少なくとも一方に凹凸条を形成することにより、オートクレーブ処理で滅菌する際などに、収容室内面の合着を防止することができると共に、弱シール部を凹凸条の無い対向面をヒートシールして形成することにより、複数の収容室を区画し、薬液混合時に剥離される弱シール部の適切なシール強度を確保することができる。更に、弱シール部のシール強度を安定化できることから、歩留まりを向上し、生産効率を改善することができる。
【発明を実施するための最良の形態】
【０００９】
以下、本発明の実施形態について図面を参照し説明する。
【００１０】
本実施形態の医療用複室容器１は、図１に示すように、二つの略矩形の熱可塑性樹脂シート２・２と、重なり合う熱可塑性樹脂シート２・２の周縁に沿って設けられる帯状の強シール部３と、熱可塑性樹脂シート２の略中央に設けられる帯状の弱シール部４と、弱シール部４で区画される二つの収容室５、６とを備え、更に、薬液流通部として、第１の収容室５の一側部に配設される薬液出入部７と、薬液出入部７と同じ側である第２の収容室６の一側部に配設される薬液注入部８とを有する。
【００１１】
熱可塑性樹脂シート２は、本例では後述するインフレーション成形で成形される熱可塑性樹脂フィルムから形成される。その素材は適宜であるが、例えばポリエチレン、ポリプロピレン等のポリオレフィンとすると好適である。また、熱可塑性樹脂シート２の厚さは適宜であるが、例えば２００〜５００μｍとすることが好ましい。
【００１２】
強シール部３は、重なり合う熱可塑性樹脂シート２・２相互を周縁で融着するものであって、前記周縁をヒートシールして形成されている。強シール部３は、後述のシート構造体１０に於いて、第１の収容室５の一側部に於ける薬液出入部７の設置可能領域１１と、第２の収容室６の一側部に於ける薬液注入部８の設置可能領域１２以外の領域で熱可塑性樹脂シート２・２相互を融着する強シール部３１と、前記薬液出入部７の設置可能領域１１の所要箇所に配置される薬液出入部７を溶着しながら前記薬液出入部７の設置可能領域１１の熱可塑性樹脂シート２・２相互を融着する強シール部３２と、前記薬液注入部８の設置可能領域１２の所要箇所に配置される薬液注入部８を溶着しながら前記薬液注入部８の設置可能領域１２の熱可塑性樹脂シート２・２相互を融着する強シール部３３とで構成される。
【００１３】
弱シール部４は、重なり合う熱可塑性樹脂シート２・２相互を略中央で融着するものであって、図１の上下で対向する強シール部３１・３１に接続されて上下方向に延設され、熱可塑性樹脂シート２・２の平面状の対向面、即ち、後述の凹凸条９が形成されていない対向面をヒートシールして形成されている。弱シール部４は、易剥離性で強シール部３１〜３３よりもシール強度は小さくなっており、使用時に収容室５或いは６を所定圧力以上の力で押圧して剥離可能な程度のシール強度になっている。
【００１４】
収容室５、６は、それぞれ弱シール部４と残りの三方に強シール部３とで区画されており、各収容室５、６の対向する内面の一方の面に、弱シール部４の長手方向へ延びる凹凸条９が全面に亘って形成されている。前記凹凸条９は、図２に示すように、熱可塑性樹脂シート２の内面に凸条９１を所定間隔で並列配置するように形成したものである。前記凸条９１の高さや凸条９１・９１間のピッチは適宜であるが、例えば凸条９１の高さは５〜１５μｍ、凸条９１・９１間のピッチは１００〜１２００μｍとすることが好ましい。
【００１５】
薬液出入部７は、第１の収容室５に薬液を注入すると共に、投与の際に連通される収容室５、６から混合薬液を排出する注入・排出口であり、第１の収容室５の一側部の強シール部３２で溶着され、その先端は第１の収容室５に連通している。薬液注入部８は、第２の収容室６に薬液を注入する注入口であり、第２の収容室６の一側部の強シール部３３で溶着されている。
【００１６】
次に、薬液出入部７と薬液注入部８を強シール部３２、３３で溶着して取り付ける工程の前のシート構造体１０について説明する。
【００１７】
シート構造体１０は、図３に示すように、薬液出入部７の設置可能領域１１を強シール部３２で薬液出入部７を溶着しながら融着し、薬液注入部８の設置可能領域１２を強シール部３３で薬液注入部８を溶着しながら融着する構成以外は、上記医療用複室容器１の構成と同様であり、熱可塑性樹脂シート２・２と、重なり合う熱可塑性樹脂シート２・２の略周縁、即ち、薬液出入部７の設置可能領域１１と薬液注入部８の設置可能領域１２以外の領域に周縁に沿って設けられる帯状の強シール部３１と、弱シール部４と、弱シール部４で区画される収容室５、６とを備える。
【００１８】
第１の収容室５の一側部に配置された薬液出入部７の設置可能領域１１、前記設置可能領域１１と同じ側である第２の収容室６の一側部に配置された薬液注入部８の設置可能領域１２には、熱可塑性樹脂シート２・２相互の対向する内面の一方の面に収容室５、６内の凹凸条９と連続する凹凸条９が形成されている。前記設置可能領域１１、１２の凹凸条９は、強シール部３２、３３を形成する際のヒートシールによる融着で消失する。
【００１９】
シート構造体１０は、インフレーション成形で成形される筒状の熱可塑性樹脂フィルム２０から形成される（図４参照）。図４は、筒状の熱可塑性樹脂フィルム２０を扁平にした状態の平面図であり、熱可塑性樹脂フィルム２０の扁平にした状態の一方の内面には凹凸条９が形成され、前記凹凸条９は前記内面の左右両側の端領域２１と弱シール部４に相当する領域２２以外の領域に形成されており、前記弱シール部４に相当する領域と同様に、筒状の熱可塑性樹脂フィルムの長手方向（図４の上下方向）に連続して延設されている。前記凹凸条９は、凹凸条形成用の凹凸部を一部に形成した金型によるインフレーション成形で形成される。そして、前記扁平状態にした筒状の熱可塑性樹脂フィルム２０の所定位置をヒートシールして強シール部３１と弱シール部４を形成すると共に、その熱可塑性樹脂フィルム２０から強シール部３１の外周縁に沿って所定形状に切り出し、シート構造体１０を得る。強シール部３１に相当する領域に形成された凹凸条９は、強シール部３１を形成する際のヒートシールによる融着で消失する。
【００２０】
上記実施形態では、収容室５、６の対向する内面の一方の面に凹凸条９を形成し、収容室５、６の内面相互の合着を防止することができる。また、弱シール部４には収容室５、６に収容される薬液の隔離の確実性と薬液混合時の易剥離性のバランスから微妙なシール強度が要求されるが、ヒートシールして弱シール部４を形成する領域に凹凸条９が存在すると適切なシール強度の制御が困難となる。これに対し、上記実施形態では、熱可塑性樹脂フィルム２０で弱シール部４を形成する領域に凹凸条９を形成せず、凹凸条９の無い平面状の対向面の融着で弱シール部４が形成されることから、適切なシール強度を確保することができる。また、凹凸条形成用の凹凸部を一部に形成した金型で筒状の熱可塑性樹脂フィルムを成形して、凹凸条９の長手方向と弱シール部４を形成する領域の長手方向が揃った熱可塑性樹脂シート２を簡易且つ低コストに得ることができる。
【００２１】
尚、本発明は上記実施形態に限定されず、本発明の趣旨の範囲内で種々の変更をすることが可能である。例えば上記実施形態では二つの収容室５、６を一つの弱シール部４で区画する構成としたが、収容室の個数は複数であれば適宜であり、それに応じて区画する弱シール部４も所要個数設けられる。また、上記実施形態では、収容室５、６の対向する内面の一方の面に凹凸条９を形成する構成としたが、収容室５、６など全収容室或いは適宜の収容室の対向する内面の双方に凹凸条９を形成することも可能である。また、薬液流通部の構成は、上記薬液出入部７、薬液注入部８に限定されず、容器内の混合薬液を排出できるものであれば適宜である。
【産業上の利用可能性】
【００２２】
本発明は、医療用複室容器に利用することができる。
【図面の簡単な説明】
【００２３】
【図１】実施形態の医療用複室容器を示す平面図。
【図２】図１の医療用複室容器に於ける収容室内面の凹凸条を示す拡大断面図。
【図３】実施形態に於けるシート構造体を示す平面図。
【図４】実施形態に於ける筒状の熱可塑性樹脂フィルムを示す平面図。
【図５】従来例の医療用複室容器を示す平面図。
【符号の説明】
【００２４】
１、１００  医療用複室容器
２  熱可塑性樹脂シート
３、３１、３２、３３、１０３、１０４  強シール部
４、１０５  弱シール部
、１０６、１０７  収容室
７、１０１  薬液出入部  
８、１０２  薬液注入部
９  凹凸条
９１  凸条
１０  シート構造体
１１  薬液出入部の設置可能領域
１２  薬液注入部の設置可能領域
２０  熱可塑性樹脂フィルム
２１  端領域
２２  弱シール部相当領域
【図１】
2008104534.tif 000003
【図２】
2008104534.tif 000004
【図３】
2008104534.tif 000005
【図４】
2008104534.tif 000006
【図５】
2008104534.tif 000007